(57)【要約】【課題】穿刺針が操作者の手に触れにくい構造とする。【解決手段】  穿刺ガイド１０は、穿刺針３０を挿通しうる内径（例えば２ｍｍ）の直線状管路を有する直管１１と、直管１１の第２端側の開口を拡径するための漏斗１５とを具備する。漏斗１５の開口１６の中心Ａｃから超音波探触子本体１までの距離Ｄａ（例えば２０ｍｍ）は、直管１１の第１端側の開口の中心Ｐｃから超音波探触子本体１までの距離Ｄｐ（例えば５ｍｍ）よりも大きくなっている。【効果】開口１６の中心Ａｃから超音波探触子本体１までの距離Ｄａは従来（Ｄｐ）より大きくなっているから、穿刺針３０の針先と操作者の手の距離も従来より大きくでき、操作者の手に穿刺針３０の針先が触れにくくなる。【選択図】図１
2005124881.tif 000002
【特許請求の範囲】
【請求項１】
細長胴体の第１端側に超音波振動子を設け且つ第２端側からケーブルを引き出し前記第１端側を被検体の体内に挿入して超音波の送信および受信を行う超音波探触子本体に着脱可能に一体化される穿刺ガイドであって、第１開口と該第１開口より広い第２開口とを有する管路を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺ガイド。
【請求項２】
請求項１に記載の穿刺ガイドにおいて、前記第２開口の開口面が、前記超音波探触子本体に一体化した状態で前記細長胴体の中心軸に対して傾斜していることを特徴とする穿刺ガイド。
【請求項３】
請求項１に記載の穿刺ガイドにおいて、前記第２開口の開口面が、前記超音波探触子本体に一体化した状態で前記細長胴体の中心軸に対する角度の異なる２つの面を連結した屈曲面であることを特徴とする穿刺ガイド。
【請求項４】
請求項１に記載の穿刺ガイドにおいて、前記穿刺ガイドは、穿刺針を挿通しうる内径の直線状管路を有する直管部と、前記直管部の一端側開口を拡径する漏斗部とを具備し、前記直管部が前記第１端側に位置し前記漏斗部が前記第２端側に位置するように前記超音波探触子本体に一体化された状態で前記漏斗部の開口の中心と前記超音波探触子本体の距離が前記直管部の他端側開口の中心と前記超音波探触子本体の距離より大きくなるように前記漏斗部の開口の中心を前記直管部の中心軸よりずらしたことを特徴とする穿刺ガイド。
【請求項５】
請求項４に記載の穿刺ガイドにおいて、前記漏斗部の開口面が、前記直管部の中心軸に対して傾斜していることを特徴とする穿刺ガイド。
【請求項６】
請求項４に記載の穿刺ガイドにおいて、前記漏斗部の開口面が、前記直管部の中心軸に対する角度の異なる２つの面を連結した屈曲面であることを特徴とする穿刺ガイド。
【請求項７】
請求項１に記載の穿刺ガイドにおいて、前記穿刺ガイドは、第１開口から該第１開口より広い第２開口まで広がる管路を有するラッパ管を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺ガイド。
【請求項８】
請求項７に記載の穿刺ガイドにおいて、穿刺針が第１開口天部と第２開口底部とに当接した状態では、前記穿刺針が、前記細長胴体の中心軸に対して傾斜した状態になることを特徴とする穿刺ガイド。
【請求項９】
請求項１に記載の穿刺ガイドにおいて、前記穿刺ガイドは、穿刺針を挿通しうる内径の直線状管路を有する直管部と、前記直管部の一端側開口を拡径する漏斗部と、前記直管部が前記第１端側に位置し前記漏斗部が前記第２端側に位置するように前記超音波探触子本体に一体化するための装着具とを具備し、前記装着具は、前記超音波探触子本体に一体化した状態で前記漏斗部の開口の中心と前記超音波探触子本体の距離が前記直管部の他端側開口の中心と前記超音波探触子本体の距離より大きくなるように前記直管部の中心軸を前記細長胴体の中心軸に対して傾斜させた状態で一体化することを特徴とする穿刺ガイド。
【請求項１０】
細長胴体の第１端側に超音波振動子を設け且つ第２端側からケーブルを引き出し前記第１端側を被検体の体内に挿入して超音波の送信および受信を行う超音波探触子本体と、前記超音波探触子本体に一体化された穿刺ガイドとを具備しており、前記穿刺ガイドは、第１開口と該第１開口より広い第２開口とを有する管路を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺用超音波探触子。
【請求項１１】
請求項１０に記載の穿刺用超音波探触子において、前記第２開口の開口面が、前記超音波探触子本体に一体化した状態で前記細長胴体の中心軸に対して傾斜していることを特徴とする穿刺用超音波探触子。
【請求項１２】
請求項１０に記載の穿刺用超音波探触子において、前記第２開口の開口面が、前記超音波探触子本体に一体化した状態で前記細長胴体の中心軸に対する角度の異なる２つの面を連結した屈曲面であることを特徴とする穿刺用超音波探触子。
【請求項１３】
請求項１０に記載の穿刺用超音波探触子において、前記穿刺ガイドは、穿刺針を挿通しうる内径の直線状管路を有する直管部と、前記直管部の一端側開口を拡径する漏斗部とを具備し、前記直管部が前記第１端側に位置し前記漏斗部が前記第２端側に位置するように前記超音波探触子本体に一体化された状態で前記漏斗部の開口の中心と前記超音波探触子本体の距離が前記直管部の他端側開口の中心と前記超音波探触子本体の距離より大きくなるように前記漏斗部の開口の中心を前記直管部の中心軸よりずらしたことを特徴とする穿刺用超音波探触子。
【請求項１４】
請求項１３に記載の穿刺用超音波探触子において、前記漏斗部の開口面が、前記直管部の中心軸に対して傾斜していることを特徴とする穿刺用超音波探触子。
【請求項１５】
請求項１３に記載の穿刺用超音波探触子において、前記漏斗部の開口面が、前記直管部の中心軸に対する角度の異なる２つの面を連結した屈曲面であることを特徴とする穿刺用超音波探触子。
【請求項１６】
請求項１０に記載の穿刺用超音波探触子において、前記穿刺ガイドは、第１開口から該第１開口より広い第２開口まで広がる管路を有するラッパ管を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺用超音波探触子。
【請求項１７】
請求項１６に記載の穿刺用超音波探触子において、穿刺針が第１開口天部と第２開口底部とに当接した状態では、前記穿刺針が、前記細長胴体の中心軸に対して傾斜した状態になることを特徴とする穿刺用超音波探触子。
【請求項１８】
請求項１０に記載の穿刺用超音波探触子において、前記穿刺ガイドは、穿刺針を挿通しうる内径の直線状管路を有する直管部と、前記直管部の一端側開口を拡径する漏斗部と、前記直管部が前記第１端側に位置し前記漏斗部が前記第２端側に位置するように前記超音波探触子本体に一体化するための装着具とを具備し、前記装着具は、前記超音波探触子本体に一体化した状態で前記漏斗部の開口の中心と前記超音波探触子本体の距離が前記直管部の他端側開口の中心と前記超音波探触子本体の距離より大きくなるように前記直管部の中心軸を前記細長胴体の中心軸に対して傾斜させた状態で一体化することを特徴とする穿刺用超音波探触子。
【発明の詳細な説明】
【技術分野】
【０００１】
本発明は、穿刺ガイドおよび穿刺用超音波探触子に関し、さらに詳しくは、穿刺針が操作者の手に触れにくい構造とした穿刺ガイドおよび穿刺用超音波探触子に関する。
【背景技術】
【０００２】
従来、細長胴体の第１端側に超音波振動子を設け且つ第２端側からケーブルを引き出し超音波振動子を設けた部分を被検体の体内に挿入して超音波の送信および受信を行う超音波探触子本体と、穿刺針を挿通する直管部を有し且つ超音波探触子本体に一体化される穿刺ガイドとを具備した穿刺用超音波探触子が知られている（例えば、特許文献１および特許文献２参照。）。
【０００３】
【特許文献１】特開２００１−２９９７５３号公報（図１７、図２０）
【特許文献２】特開平９−２３８９４５号公報（図２）
【発明の開示】
【発明が解決しようとする課題】
【０００４】
従来の穿刺用超音波探触子では、操作者は、穿刺ガイドの開口の手前で穿刺針を直管部の中心軸上に位置させ、次に穿刺針を真っ直ぐに進めて穿刺針の針先を開口に挿入し、さらに穿刺針を真っ直ぐに進めていた。
しかし、穿刺ガイドの開口の手前には、超音波探触子本体を持つ操作者の手があるため、穿刺針を穿刺ガイドに挿入する際に、操作者の手に穿刺針の針先が触れやすい問題点があった。
そこで、本発明の目的は、穿刺針を穿刺ガイドに挿入する際に、穿刺針が操作者の手に触れにくい構造とした穿刺ガイドおよび穿刺用超音波探触子を提供することにある。
【課題を解決するための手段】
【０００５】
第１の観点では、本発明は、細長胴体の第１端側に超音波振動子を設け且つ第２端側からケーブルを引き出し前記第１端側を被検体の体内に挿入して超音波の送信および受信を行う超音波探触子本体に着脱可能に一体化される穿刺ガイドであって、第１開口と該第１開口より広い第２開口とを有する管路を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺ガイドを提供する。
なお、「開口の中心」とは、超音波探触子本体に一体化された状態で超音波探触子本体に最も近くなる開口輪郭上の点と超音波探触子本体から最も遠くなる開口輪郭上の点とを開口面上で結ぶ最短線の中間点をいう。
上記第１の観点による穿刺ガイドでは、穿刺針を挿入する第２開口の面積を広げると共に超音波探触子本体から第２開口の中心までの距離を大きくした。このため、操作者は、第２開口の手前で、第２開口の中心付近に穿刺針の針先を位置させ、次に穿刺針を第２開口へ向けて進めて穿刺針の針先を第２開口に挿入し、次に穿刺針を第１開口の中心へ向けて進める操作を行うことになるが、超音波探触子本体から第２開口の中心までの距離を従来より大きく出来るから、穿刺針を穿刺ガイドに挿入する時の穿刺針の針先と超音波探触子本体を持つ操作者の手の距離を大きくすることが出来る。また、穿刺針を斜めにして針先を第２開口に挿入できるから、穿刺針を水平にして針先を第２開口に挿入するよりも、針先をコントロールしやすくなる。よって、操作者の手に穿刺針の針先が触れにくくなる。
【０００６】
第２の観点では、本発明は、上記構成の穿刺ガイドにおいて、前記第２開口の開口面が、前記超音波探触子本体に一体化した状態で前記細長胴体の中心軸に対して傾斜していることを特徴とする穿刺ガイドを提供する。
なお、「開口面」は、平面でもよいし、曲面でもよい。「傾斜している」とは、超音波探触子本体に一体化された状態で超音波探触子本体に最も近くなる開口輪郭上の点と超音波探触子本体から最も遠くなる開口輪郭上の点とを結ぶ直線が細長胴体の中心軸に対して成す角度が９０゜でないことをいう。
ある面に針を挿入する際、多くの者は、その面になるべく垂直に針先を挿入しようとする。
そこで、上記第２の観点による穿刺ガイドでは、第２開口の開口面を超音波探触子本体の細長胴体の中心軸に対して傾斜させておく。すると、操作者は、結果的に超音波探触子本体の細長胴体に対して穿刺針を傾けて、第２開口の開口面に針先を挿入しようとする。これにより、超音波探触子本体を持つ操作者の手に穿刺針の針先が最も近くなるので、穿刺針の針先に注意を集中して第２開口に穿刺針を挿入すれば、超音波探触子本体を持つ操作者の手に穿刺針のどの部分も触れることがなくなる。また、穿刺針を斜めにして針先を第２開口に挿入できるから、穿刺針を水平にして針先を第２開口に挿入するよりも、針先をコントロールしやすくなる。
【０００７】
第３の観点では、本発明は、上記構成の穿刺ガイドにおいて、前記第２開口の開口面が、前記超音波探触子本体に一体化した状態で前記細長胴体の中心軸に対する角度の異なる２つの面を連結した屈曲面であることを特徴とする穿刺ガイドを提供する。
なお、「２つの面」は、両方が平面でもよいし、両方が曲面でもよいし、一方が平面で他方が曲面でもよい。
上記第３の観点による穿刺ガイドでは、超音波探触子本体の細長胴体の中心軸に対する角度がより０゜に近い面とより９０゜に近い面の２つがあるため、操作者は、穿刺針の針先を第２開口に挿入する際には一方の面を基準にして穿刺針を動かし、穿刺針を第１開口の中心へ向けて進める際には他方の面を基準にして穿刺針を動かせばよいので、操作がしやすくなる。
【０００８】
第４の観点では、本発明は、上記構成の穿刺ガイドにおいて、前記穿刺ガイドは、穿刺針を挿通しうる内径の直線状管路を有する直管部と、前記直管部の一端側開口を拡径する漏斗部とを具備し、前記直管部が前記第１端側に位置し前記漏斗部が前記第２端側に位置するように前記超音波探触子本体に一体化された状態で前記漏斗部の開口の中心と前記超音波探触子本体の距離が前記直管部の他端側開口の中心と前記超音波探触子本体の距離より大きくなるように前記漏斗部の開口の中心を前記直管部の中心軸よりずらしたことを特徴とする穿刺ガイドを提供する。
上記第４の観点による穿刺ガイドでは、穿刺針を挿入する開口の面積を漏斗部により広げると共に超音波探触子本体から漏斗部の開口の中心までの距離を大きくした。このため、操作者は、漏斗部の開口の手前で、漏斗部の開口の中心付近に穿刺針の針先を位置させ、次に穿刺針を漏斗部の開口へ向けて進めて穿刺針の針先を漏斗部の開口に挿入し、次に穿刺針を直管部へ向けて進める操作を行うことになるが、超音波探触子本体から漏斗部の開口の中心までの距離を従来より大きく出来るから、穿刺針を穿刺ガイドに挿入する時の穿刺針の針先と超音波探触子本体を持つ操作者の手の距離を大きくすることが出来る。また、穿刺針を斜めにして針先を漏斗部の開口に挿入できるから、穿刺針を水平にして針先を漏斗部の開口に挿入するよりも、針先をコントロールしやすくなる。よって、操作者の手に穿刺針の針先が触れにくくなる。
【０００９】
第５の観点では、本発明は、上記構成の穿刺ガイドにおいて、前記漏斗部の開口面が、前記直管部の中心軸に対して傾斜していることを特徴とする穿刺ガイドを提供する。
ある面に針を挿入する際、多くの者は、その面になるべく垂直に針先を挿入しようとする。
そこで、上記第５の観点による穿刺ガイドでは、漏斗部の開口の開口面を超音波探触子本体の細長胴体の中心軸に対して傾斜させておく。すると、操作者は、結果的に超音波探触子本体の細長胴体に対して穿刺針を傾けて、漏斗部の開口の開口面に針先を挿入しようとする。これにより、超音波探触子本体を持つ操作者の手に穿刺針の針先が最も近くなるので、穿刺針の針先に注意を集中して漏斗部の開口に穿刺針を挿入すれば、超音波探触子本体を持つ操作者の手に穿刺針のどの部分も触れることがなくなる。また、穿刺針を斜めにして針先を漏斗部の開口に挿入できるから、穿刺針を水平にして針先を漏斗部の開口に挿入するよりも、針先をコントロールしやすくなる。
【００１０】
第６の観点では、本発明は、上記構成の穿刺ガイドにおいて、前記漏斗部の開口面が、前記直管部の中心軸に対する角度の異なる２つの面を連結した屈曲面であることを特徴とする穿刺ガイドを提供する。
上記第６の観点による穿刺ガイドでは、超音波探触子本体の細長胴体の中心軸に対する角度がより０゜に近い面とより９０゜に近い面の２つがあるため、操作者は、穿刺針の針先を漏斗部の開口に挿入する際には一方の面を基準にして穿刺針を動かし、穿刺針を直管部の中心へ向けて進める際には他方の面を基準にして穿刺針を動かせばよいので、操作がしやすくなる。
【００１１】
第７の観点では、本発明は、上記構成の穿刺ガイドにおいて、前記穿刺ガイドは、第１開口から該第１開口より広い第２開口まで広がる管路を有するラッパ管を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺ガイドを提供する。
上記第７の観点による穿刺ガイドでは、穿刺針を挿入する第２開口の面積を広げると共に超音波探触子本体から第２開口の中心までの距離を大きくした。このため、操作者は、第２開口の手前で、第２開口の中心付近に穿刺針の針先を位置させ、次に穿刺針を第２開口へ向けて進めて穿刺針の針先を第２開口に挿入し、次に穿刺針を第１開口の中心へ向けて進める操作を行うことになるが、超音波探触子本体から第２開口の中心までの距離を従来より大きく出来るから、穿刺針を穿刺ガイドに挿入する時の穿刺針の針先と超音波探触子本体を持つ操作者の手の距離を大きくすることが出来る。また、穿刺針を斜めにして針先を第２開口に挿入できるから、穿刺針を水平にして針先を第２開口に挿入するよりも、針先をコントロールしやすくなる。よって、操作者の手に穿刺針の針先が触れにくくなる。
【００１２】
第８の観点では、本発明は、上記構成の穿刺ガイドにおいて、穿刺針が第１開口天部と第２開口底部に当接した状態では、前記穿刺針が、前記細長胴体の中心軸に対して傾斜した状態になることを特徴とする穿刺ガイドを提供する。
上記構成において「第１開口天部」とは、超音波探触子本体から最も遠い第１開口輪郭上の点およびその近傍をいう。また、「第２開口底部」とは、超音波探触子本体に最も近い第２開口輪郭上の点およびその近傍をいう。
上記第８の観点による穿刺ガイドでは、穿刺針を斜めにして穿刺操作できるから、穿刺針を水平にして操作するよりも、穿刺針をコントロールしやすくなる。
【００１３】
第９の観点では、本発明は、上記構成の穿刺ガイドにおいて、前記穿刺ガイドは、穿刺針を挿通しうる内径の直線状管路を有する直管部と、前記直管部の一端側開口を拡径する漏斗部と、前記直管部が前記第１端側に位置し前記漏斗部が前記第２端側に位置するように前記超音波探触子本体に一体化するための装着具とを具備し、前記装着具は、前記超音波探触子本体に一体化した状態で前記漏斗部の開口の中心と前記超音波探触子本体の距離が前記直管部の他端側開口の中心と前記超音波探触子本体の距離より大きくなるように前記直管部の中心軸を前記細長胴体の中心軸に対して傾斜させた状態で一体化することを特徴とする穿刺ガイドを提供する。
上記第９の観点による穿刺ガイドでは、穿刺針を挿入する開口の面積を漏斗部により広げると共に超音波探触子本体から漏斗部の開口の中心までの距離を大きくした。このため、操作者は、漏斗部の開口の手前で、漏斗部の開口の中心付近に穿刺針の針先を位置させ、次に穿刺針を漏斗部の開口へ向けて進めて穿刺針の針先を漏斗部の開口に挿入し、次に穿刺針を直管部へ向けて進める操作を行うことになるが、超音波探触子本体から漏斗部の開口の中心までの距離を従来より大きく出来るから、穿刺針を穿刺ガイドに挿入する時の穿刺針の針先と超音波探触子本体を持つ操作者の手の距離を大きくすることが出来る。また、穿刺針を斜めにして針先を漏斗部の開口に挿入できるから、穿刺針を水平にして針先を漏斗部の開口に挿入するよりも、針先をコントロールしやすくなる。よって、操作者の手に穿刺針の針先が触れにくくなる。
【００１４】
第１０の観点では、本発明は、細長胴体の第１端側に超音波振動子を設け且つ第２端側からケーブルを引き出し前記第１端側を被検体の体内に挿入して超音波の送信および受信を行う超音波探触子本体と、前記超音波探触子本体に一体化された穿刺ガイドとを具備しており、前記穿刺ガイドは、第１開口と該第１開口より広い第２開口とを有する管路を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺用超音波探触子を提供する。
なお、穿刺ガイドは、超音波探触子本体に着脱可能に装着されて一体化されるものであってもよいし、超音波探触子本体と一体的に構成されるものであってもよい。
上記第１０の観点による穿刺用超音波探触子では、前記第１の観点による穿刺ガイドと同じ作用により、穿刺針の針先が操作者の手に触れにくくなる。
【００１５】
第１１の観点では、本発明は、上記構成の穿刺用超音波探触子において、前記第２開口の開口面が、前記超音波探触子本体に一体化した状態で前記細長胴体の中心軸に対して傾斜していることを特徴とする穿刺用超音波探触子を提供する。
上記第１１の観点による穿刺用超音波探触子では、前記第２の観点による穿刺ガイドと同じ作用により、穿刺針の針先が操作者の手に触れにくくなる。
【００１６】
第１２の観点では、本発明は、上記構成の穿刺用超音波探触子において、前記第２開口の開口面が、前記超音波探触子本体に一体化した状態で前記細長胴体の中心軸に対する角度の異なる２つの面を連結した屈曲面であることを特徴とする穿刺用超音波探触子を提供する。
上記第１２の観点による穿刺用超音波探触子では、前記第３の観点による穿刺ガイドと同じ作用により、穿刺針の針先が操作者の手に触れにくくなる。
【００１７】
第１３の観点では、本発明は、上記構成の穿刺用超音波探触子において、前記穿刺ガイドは、穿刺針を挿通しうる内径の直線状管路を有する直管部と、前記直管部の一端側開口を拡径する漏斗部とを具備し、前記直管部が前記第１端側に位置し前記漏斗部が前記第２端側に位置するように前記超音波探触子本体に一体化された状態で前記漏斗部の開口の中心と前記超音波探触子本体の距離が前記直管部の他端側開口の中心と前記超音波探触子本体の距離より大きくなるように前記漏斗部の開口の中心を前記直管部の中心軸よりずらしたことを特徴とする穿刺用超音波探触子を提供する。
上記第１３の観点による穿刺用超音波探触子では、前記第４の観点による穿刺ガイドと同じ作用により、穿刺針の針先が操作者の手に触れにくくなる。
【００１８】
第１４の観点では、本発明は、上記構成の穿刺用超音波探触子において、前記漏斗部の開口面が、前記直管部の中心軸に対して傾斜していることを特徴とする穿刺用超音波探触子を提供する。
上記第１４の観点による穿刺用超音波探触子では、前記第５の観点による穿刺ガイドと同じ作用により、穿刺針の針先が操作者の手に触れにくくなる。
【００１９】
第１５の観点では、本発明は、上記構成の穿刺用超音波探触子において、前記漏斗部の開口面が、前記直管部の中心軸に対する角度の異なる２つの面を連結した屈曲面であることを特徴とする穿刺用超音波探触子を提供する。
上記第１５の観点による穿刺用超音波探触子では、前記第６の観点による穿刺ガイドと同じ作用により、穿刺針の針先が操作者の手に触れにくくなる。
【００２０】
第１６の観点では、本発明は、上記構成の穿刺用超音波探触子において、前記穿刺ガイドは、第１開口から該第１開口より広い第２開口まで広がる管路を有するラッパ管を具備し、前記第１開口が前記第１端側に位置し前記第２開口が前記第２端側に位置するように前記超音波探触子本体に一体化された状態で前記第２開口の中心と前記超音波探触子本体の距離が前記第１開口の中心と前記超音波探触子本体の距離より大きいことを特徴とする穿刺用超音波探触子を提供する。
上記第１６の観点による穿刺用超音波探触子では、前記第７の観点による穿刺ガイドと同じ作用により、穿刺針の針先が操作者の手に触れにくくなる。
【００２１】
第１７の観点では、本発明は、上記構成の穿刺用超音波探触子において、穿刺針が第１開口天部と第２開口底部に当接した状態では、前記穿刺針が、前記細長胴体の中心軸に対して傾斜した状態になることを特徴とする穿刺用超音波探触子を提供する。
上記第１７の観点による穿刺用超音波探触子では、前記第８の観点による穿刺ガイドと同じ作用により、穿刺針を操作しやすくなる。
【００２２】
第１８の観点では、本発明は、上記構成の穿刺用超音波探触子において、前記穿刺ガイドは、穿刺針を挿通しうる内径の直線状管路を有する直管部と、前記直管部の一端側開口を拡径する漏斗部と、前記直管部が前記第１端側に位置し前記漏斗部が前記第２端側に位置するように前記超音波探触子本体に一体化するための装着具とを具備し、前記装着具は、前記超音波探触子本体に一体化した状態で前記漏斗部の開口の中心と前記超音波探触子本体の距離が前記直管部の他端側開口の中心と前記超音波探触子本体の距離より大きくなるように前記直管部の中心軸を前記細長胴体の中心軸に対して傾斜させた状態で一体化することを特徴とする穿刺用超音波探触子を提供する。
上記第１８の観点による穿刺用超音波探触子では、前記第９の観点による穿刺ガイドと同じ作用により、穿刺針の針先が操作者の手に触れにくくなる。
【発明の効果】
【００２３】
本発明の穿刺ガイドおよび穿刺用超音波探触子によれば、穿刺針を穿刺ガイドに挿入する時の穿刺針の針先と超音波探触子本体を持つ操作者の手の距離を大きくすることが出来ると共に穿刺針を斜めにして針先を開口に挿入できるから針先をコントロールしやすくなる。よって、操作者の手に穿刺針の針先が触れにくくなる。
【発明を実施するための最良の形態】
【００２４】
以下、図に示す実施の形態により本発明をさらに詳細に説明する。なお、これにより本発明が限定されるものではない。
【実施例１】
【００２５】
図１は、実施例１にかかる穿刺用超音波探触子１００の側面図である。また、図２は、同穿刺用超音波探触子１００の平面図である。また、図３は、同穿刺用超音波探触子１００の背面図である。
【００２６】
この穿刺用超音波探触子１００は、超音波探触子本体１と、超音波探触子本体１に一体化された穿刺ガイド１０と、穿刺針３０とを具備している。
【００２７】
超音波探触子本体１は、細長胴体２と、細長胴体２の第１端側の球状端部に内蔵した超音波振動子３と、細長胴体２の第２端側から引き出したケーブル４と、操作者が超音波探触子本体１を把持するためのグリップ５とを具備している。
【００２８】
穿刺ガイド１０は、穿刺針３０を挿通しうる内径（例えば２ｍｍ）の直線状管路を有する直管１１と、直管１１の第１端近傍を丸っこい形状にするための長円体のヘッド１２と、ヘッド１１の下側から突出し超音波探触子本体１に引っ掛かるフック１３と、直管１１を超音波探触子本体１に着脱可能に一体化するための装着器１４と、直管１１の第２端側の開口を拡径するための漏斗１５とを具備している。
直管１１，ヘッド１２，フック１３，装着器１４および漏斗１５は、それぞれステンレス製であり、銀ろう付けされている。
漏斗１５の長さＬは、８ｍｍ以上である。
なお、穿刺ガイド１０をプラスチック製とし、使い捨てにしてもよい。
【００２９】
超音波探触子本体１に穿刺ガイド１０を一体化した状態において、直管１１は、細長胴体２の中心軸に対して平行である。
【００３０】
漏斗１５の開口１６は、輪郭が円形状であり、開口面は湾曲面である。開口面は、細長胴体２の中心軸に対してグリップ５から離れる向きに傾斜している（例えば傾斜角θ＝４５゜〜８５゜）。
また、漏斗１５の開口１６の中心Ａｃから超音波探触子本体１までの距離Ｄａ（例えば２０ｍｍ）は、直管１１の第１端側の開口の中心Ｐｃから超音波探触子本体１までの距離Ｄｐ（例えば５ｍｍ）よりも大きくなっている。
【００３１】
図４に示すように、操作者は、グリップ５を把持して超音波振動子３を設けた部分を患者の体内に挿入し、超音波の送信および受信を行う。
【００３２】
穿刺を行うときは、図４に示すように、操作者は、漏斗１５の開口１６の手前で、開口１６の中心Ａｃ付近に穿刺針３０の針先を位置させる。
この時、開口１６の中心Ａｃから超音波探触子本体１までの距離Ｄａは従来（Ｄｐ）より大きくなっているから、穿刺針３０の針先と操作者の手の距離も従来より大きくでき、操作者の手に穿刺針３０の針先が触れにくくなる。
【００３３】
次に、図５に示すように、操作者は、穿刺針３０を開口１６へ向けて進めて穿刺針３０の針先を開口１６に挿入する。
この時、操作者は、心理的に開口面になるべく垂直に針先を挿入しようとするが、開口１６の開口面が傾斜しているから、結果的に操作者の手に穿刺針３０の針先が最も近くなるように穿刺針３０を傾けることになる。従って、穿刺針３０の針先が操作者の手に触れないように穿刺針３０の針先だけに注意を集中すれば、操作者の手に穿刺針３０のどの部分も触れることがなくなる。
【００３４】
次に、図６に示すように、操作者は、直管１１の中心軸上に穿刺針３０を位置させるように穿刺針３０の姿勢を変えながら穿刺針３０を進める。
この時、穿刺針３０の針先は漏斗１５の内部に入っているから、穿刺針３０の針先が操作者の手に触れることはない。
【００３５】
最後に、図７に示すように、操作者は、直管１１の管路に穿刺針３０を挿通し、直管１１の第１開口から針先を出して穿刺を行う。
この時、穿刺針３０の方向は、直管１１の管路で案内される。
【００３６】
実施例１に係る穿刺用超音波探触子１００および穿刺ガイド１０によれば、操作者の手に穿刺針３０が触れにくくなり、穿刺操作を行いやすくなる。また、穿刺針３０を斜めにして針先を開口１６に挿入できるから、穿刺針３０を水平にして針先を開口１６に挿入するよりも、針先をコントロールしやすくなる。
【実施例２】
【００３７】
図８は、実施例２にかかる穿刺用超音波探触子２００の側面図である。また、図９は、同穿刺用超音波探触子２００の平面図である。また、図１０は、同穿刺用超音波探触子２００の背面図である。
【００３８】
この穿刺用超音波探触子２００は、超音波探触子本体１と、超音波探触子本体１に一体化された穿刺ガイド２０と、穿刺針３０とを具備している。
【００３９】
超音波探触子本体１は、細長胴体２と、細長胴体２の第１端側の球状端部に内蔵した超音波振動子３と、細長胴体２の第２端側から引き出したケーブル４と、操作者が超音波探触子本体１を把持するためのグリップ５とを具備している。
【００４０】
穿刺ガイド２０は、穿刺針３０を挿通しうる内径（例えば２ｍｍ）の直線状管路を有する直管１１と、直管１１の第１端近傍を丸っこい形状にするための長円体のヘッド１２と、ヘッド１１の下側から突出し超音波探触子本体１に引っ掛かるフック１３と、直管１１を超音波探触子本体１に着脱可能に一体化するための装着器１４と、直管１１の第２端側の開口を拡径するための漏斗２５とを具備している。
直管１１，ヘッド１２，フック１３，装着器１４および漏斗２５は、それぞれステンレス製であり、銀ろう付けされている。
漏斗２５の長さＬは、８ｍｍ以上である。
なお、穿刺ガイド２０をプラスチック製とし、使い捨てにしてもよい。
【００４１】
超音波探触子本体１に穿刺ガイド２０を一体化した状態において、直管１１は、細長胴体２の中心軸に対して平行である。
【００４２】
漏斗２５の開口は、前開口２６と上開口２７を連結したものであり、輪郭は２つの円形を接合した如き形状であり、前開口面２６は湾曲面、上開口面２７は平面、全体としての開口面は屈曲面である。前開口面２６は、細長胴体２の中心軸に対してグリップ５から離れる向きに傾斜している（例えば傾斜角４５゜〜８５゜）。上開口面２７は、細長胴体２の中心軸に対して平行である。全体としての開口面は、細長胴体２の中心軸に対してグリップ５から離れる向きに傾斜している（例えば傾斜角θ＝４５゜〜８５゜）。
また、漏斗２５の全体としての開口の中心Ａｃから超音波探触子本体１までの距離Ｄａ（例えば２２ｍｍ）は、直管１１の第１端側の開口の中心Ｐｃから超音波探触子本体１までの距離Ｄｐ（例えば５ｍｍ）よりも大きくなっている。
【００４３】
図１１に示すように、操作者は、グリップ５を把持して音波振動子３を設けた部分を患者の体内に挿入し、超音波の送信および受信を行う。
【００４４】
穿刺を行うときは、図１１に示すように、操作者は、漏斗２５の上開口２７の真上に穿刺針３０の針先を位置させる。
この時、上開口２７は操作者の手から大きく離れているから、操作者の手に穿刺針３０の針先が触れることはない。
【００４５】
次に、図１２に示すように、操作者は、穿刺針３０を上開口２７へ向けて下ろし、穿刺針３０の針先を上開口２７から漏斗２５内に入れる。
【００４６】
次に、図１３に示すように、操作者は、直管１１の中心軸上に穿刺針３０を位置させるように穿刺針３０の姿勢を変えながら穿刺針３０を進める。
この時、穿刺針３０の針先は漏斗２５の内部に入っているから、穿刺針３０の針先が操作者の手に触れることはない。
【００４７】
最後に、図１４に示すように、操作者は、直管１１の管路に穿刺針３０を挿通し、直管１１の第１開口から針先を出して穿刺を行う。
この時、穿刺針３０の方向は、直管１１の管路で案内される。
【００４８】
実施例２に係る穿刺用超音波探触子２００および穿刺ガイド２０によれば、操作者の手に穿刺針３０が触れにくくなり、穿刺操作を行いやすくなる。
【実施例３】
【００４９】
図１５に示す穿刺用超音波探触子３００は、実施例１の穿刺用超音波探触子１００における穿刺ガイド１０の代わりに、穿刺ガイド３０を用いたものである。
【００５０】
穿刺ガイド３０は、実施例１の穿刺ガイド１０における漏斗１５の代わりに、輪郭が長円形状の開口３６を持つ漏斗３５を用いたものである。
【００５１】
実施例３に係る穿刺用超音波探触子３００および穿刺ガイド３０によれば、操作者の手に穿刺針３０が触れにくくなり、穿刺操作を行いやすくなる。
【実施例４】
【００５２】
図１６に示す穿刺用超音波探触子４００は、実施例３の穿刺用超音波探触子３００における穿刺ガイド３０の代わりに、穿刺ガイド４０を用いたものである。
【００５３】
穿刺ガイド４０は、実施例３の穿刺ガイド３０における漏斗１５の代わりに、前開口４６と上開口４７とを連結した開口を持つ漏斗４５を用いたものである。
【００５４】
実施例４に係る穿刺用超音波探触子４００および穿刺ガイド４０によれば、操作者の手に穿刺針３０が触れにくくなり、穿刺操作を行いやすくなる。
【実施例５】
【００５５】
図１７に示す穿刺用超音波探触子５００は、実施例１の穿刺用超音波探触子１００における穿刺ガイド１０の代わりに、穿刺ガイド５０を用いたものである。
【００５６】
穿刺ガイド５０は、穿刺針３０を挿通しうる内径（例えば２ｍｍ）の第１開口５８からそれより広い第２開口５６まで次第に広がる管路を有するラッパ管５１からなり、超音波探触子本体１に嵌め込むようにして一体化される。
ラッパ管５１は、患者の体内に入る部分の広がり方は小さく、患者の体内に入らない部分の広がり方は大きくなっている。
ラッパ管５１は、ステンレス製である。
なお、穿刺ガイド５０をプラスチック製とし、使い捨てにしてもよい。
【００５７】
第２開口５６は、輪郭が円形状であり、開口面は平面である。開口面は、細長胴体２の中心軸に対してグリップ５から離れる向きに傾斜している（例えば傾斜角θ＝４５゜〜８５゜）。
また、第２開口５６の中心Ａｃから超音波探触子本体１までの距離Ｄａ（例えば２０ｍｍ）は、ラッパ管５１の第１開口の中心Ｐｃから超音波探触子本体１までの距離Ｄｐ（例えば５ｍｍ）よりも大きくなっている。
【００５８】
図１８に示すように、第２開口底部５６ａから細長胴体２の中心軸Ｘまでの距離ｄａは、第１開口天部５８ａに穿刺針３０が当接した状態での穿刺針３０の最下部から細長胴体２の中心軸Ｘまでの距離ｄｐより大きくなっている。
これにより、穿刺針３０は、細長胴体２の中心軸Ｘに対して傾斜して挿通されることになる。
【００５９】
実施例５に係る穿刺用超音波探触子５００および穿刺ガイド５０によれば、操作者の手に穿刺針３０が触れにくくなり、穿刺操作を行いやすくなる。また、穿刺針３０を斜めにして穿刺操作できるから、穿刺針３０を水平にして操作するよりも、穿刺針３０をコントロールしやすくなる。
【実施例６】
【００６０】
図１９に示す穿刺用超音波探触子６００は、実施例１の穿刺用超音波探触子１００における穿刺ガイド１０の代わりに、穿刺ガイド６０を用いたものである。
【００６１】
穿刺ガイド６０は、穿刺針３０を挿通しうる内径（例えば２ｍｍ）の直線状管路を有する直管１１と、直管１１の第１端近傍を丸っこい形状にするための長円体のヘッド１２と、ヘッド１１の下側から突出し超音波探触子本体１に引っ掛かるフック１３と、直管１１を超音波探触子本体１に着脱可能に一体化するための装着器６４と、直管１１の第２端側の開口を拡径するための漏斗６５とを具備している。
直管１１，ヘッド１２，フック１３，装着器６４および漏斗６５は、それぞれステンレス製であり、銀ろう付けされている。
漏斗６５の長さＬは、８ｍｍ以上である。
なお、穿刺ガイド６０をプラスチック製とし、使い捨てにしてもよい。
【００６２】
超音波探触子本体１に穿刺ガイド６０を一体化した状態において、直管１１は、細長胴体２の中心軸に対して傾斜している。
【００６３】
漏斗６５の開口６６は、輪郭が円形状であり、開口面は平面である。開口面は、細長胴体２の中心軸に対してグリップ５から離れる向きに傾斜している（例えば傾斜角θ＝４５゜〜８５゜）。
また、漏斗６５の開口６６の中心Ａｃから超音波探触子本体１までの距離Ｄａ（例えば２０ｍｍ）は、直管１１の第１端側の開口の中心Ｐｃから超音波探触子本体１までの距離Ｄｐ（例えば５ｍｍ）よりも大きくなっている。
【００６４】
実施例６に係る穿刺用超音波探触子６００および穿刺ガイド６０によれば、操作者の手に穿刺針３０が触れにくくなり、穿刺操作を行いやすくなる。また、穿刺針３０を斜めにして穿刺操作できるから、穿刺針３０を水平にして操作するよりも、穿刺針３０をコントロールしやすくなる。
【産業上の利用可能性】
【００６５】
本発明の穿刺ガイドおよび穿刺用超音波探触子は、膣内に挿入して穿刺するための穿刺ガイドおよび穿刺用超音波探触子として利用できる。
【図面の簡単な説明】
【００６６】
【図１】実施例１に係る穿刺用超音波探触子を示す右側面図である。
【図２】実施例１に係る穿刺用超音波探触子を示す平面図である。
【図３】実施例１に係る穿刺用超音波探触子を示す背面図である。
【図４】実施例１に係る穿刺用超音波探触子に穿刺針を挿入する直前状態を示す説明図である。
【図５】実施例１に係る穿刺用超音波探触子に穿刺針を挿入した直後状態を示す説明図である。
【図６】実施例１に係る穿刺用超音波探触子に穿刺針を挿入する過程を示す説明図である。
【図７】実施例１に係る穿刺用超音波探触子で穿刺を行う状態を示す説明図である。
【図８】実施例２に係る穿刺用超音波探触子を示す右側面図である。
【図９】実施例２に係る穿刺用超音波探触子を示す平面図である。
【図１０】実施例２に係る穿刺用超音波探触子を示す背面図である。
【図１１】実施例２に係る穿刺用超音波探触子に穿刺針を挿入する直前状態を示す説明図である。
【図１２】実施例２に係る穿刺用超音波探触子に穿刺針を挿入した直後状態を示す説明図である。
【図１３】実施例２に係る穿刺用超音波探触子に穿刺針を挿入する過程を示す説明図である。
【図１４】実施例２に係る穿刺用超音波探触子で穿刺を行う状態を示す説明図である。
【図１５】実施例３に係る穿刺用超音波探触子を示す背面図である。
【図１６】実施例４に係る穿刺用超音波探触子を示す背面図である。
【図１７】実施例５に係る穿刺用超音波探触子を示す右側面図である。
【図１８】実施例５に係る穿刺用超音波探触子の一部断面図である。
【図１９】実施例６に係る穿刺用超音波探触子を示す右側面図である。
【符号の説明】
【００６７】
１１                              直管
１５，２５，３５，４５，６５      漏斗
１６，３６，５６，６６            開口
２６，４６                        前開口
２７，４７                        上開口
５１                              ラッパ管
１０〜６０          穿刺ガイド
１００〜６００      穿刺用超音波探触子
【図１】
2005124881.tif 000003
【図２】
2005124881.tif 000004
【図３】
2005124881.tif 000005
【図４】
2005124881.tif 000006
【図５】
2005124881.tif 000007
【図６】
2005124881.tif 000008
【図７】
2005124881.tif 000009
【図８】
2005124881.tif 000010
【図９】
2005124881.tif 000011
【図１０】
2005124881.tif 000012
【図１１】
2005124881.tif 000013
【図１２】
2005124881.tif 000014
【図１３】
2005124881.tif 000015
【図１４】
2005124881.tif 000016
【図１５】
2005124881.tif 000017
【図１６】
2005124881.tif 000018
【図１７】
2005124881.tif 000019
【図１８】
2005124881.tif 000020
【図１９】
2005124881.tif 000021